(57)【要約】【課題】  予め数多くの切削具を準備する必要がなく、少ない種類の切削具であっても治療の現場で必要とされている正確な深さを提供することが可能な切削具用ストッパーを提供する。【解決手段】  回転軸を有する切削具の該回転軸に嵌着され使用されるストッパーであって、樹脂材料から成り渦巻状の係止材と、形状記憶材料から成り前記係止材の内部にあってその形状回復力で係止材を変形させることが可能な締付け材とから構成されている切削具用ストッパーとする。【選択図】  図１
2009028192.tif 000002
【特許請求の範囲】
【請求項１】
回転軸（２ａ）を有する切削具（２）の該回転軸に嵌着され使用されるストッパーであって、樹脂材料から成り渦巻状の係止材（１ａ）と、形状記憶材料から成り前記係止材（１ａ）の内部にあってその形状回復力で係止材（１ａ）を変形させることが可能な締付け材（１ｂ）とから構成されている切削具用ストッパー（１）。
【発明の詳細な説明】
【技術分野】
【０００１】
本発明は、回転軸を有するドリルや根管切削具等の切削具に使用して切削深さを制限したり切削深さの目安とするための切削具用ストッパーに関する。
【背景技術】
【０００２】
従来、欠如歯部における歯科補綴法としては、ブリッジによる方法と床義歯による方法とが一般に行われてきた。しかしながら、ブリッジによる方法は、欠如歯部の両側の健全な天然歯を切削して支台歯とし、この支台歯に欠如歯部に位置する歯科用補綴物に設けた金属体を係合させて固定する方法なので、健全な天然歯を切削して支台歯とするための係合部を設けなければならないばかりか、本来、欠如歯に加わっていた咬合力を支台歯が負担するので支台となっている天然歯の寿命を大きく縮めてしまうという欠点があった。また、床義歯による方法は、合成樹脂等で作製した床にレジンやセラッミク製の義歯を固定したものを歯科用補綴物とする方法であるが、この方法では歯科用補綴物に作用する咬合力を残存天然歯及び／又は口腔粘膜によって負担させるものであるので、歯科用補綴物使用中に違和感があることや、口腔粘膜組織中に散在する味覚の受容器を義歯床が覆ってしまうことによる味覚の鈍麻が生じることがあり、更には長期間の使用によって顎堤の吸収を引き起こすという重大な欠点があった。
【０００３】
そこでこれらの欠点を解消する治療方法として、欠如歯部の顎骨内に形成した埋入穴内に歯科用補綴物の維持安定装置となるインプラントフィクスチャーを埋入して天然歯における歯根の機能を代行させ、このインプラントフィクスチャーの口腔内側に歯科用補綴物の固定装置を連結固定して歯科用補綴物維持装置とし、この歯科用補綴物維持装置に歯科用補綴物を固定する歯科用インプラントの技術が開発され実施されている。
【０００４】
このインプラント治療においては、顎骨にフィクスチャーを埋入する穴を正確に形成することが重要である。そのため、患者の顎骨の断層写真をコンピュータに取り込み、事前にフィクスチャーの埋入方向を決めてフィクスチャーを含む補綴装置の完成状態を正確にシミュレートしたデータに基づきフィクスチャーの埋入方向が規定された穴が形成された外科用テンプレートを作製し、該外科用テンプレートを患者の口腔内に装着して外科用テンプレートに形成された穴の方向に合わせてドリルを使用する方法が開発されている（例えば、特許文献１参照。）。このとき、埋入穴の方向は外科用テンプレートで規定され、埋入穴の深さは切削用ドリルの回転軸に回転軸と一体で形成されたフランジ状のストッパーによって規定される。
【０００５】
しかしながら、この治療方法を行うためにはフランジ付き切削具を使用する必要があるので、従来の回転軸にストッパーが形成されていない切削具を持つ多くの歯科医は各種切削深さに対応した切削具を新たに購入する必要があった。
【０００６】
【特許文献１】特開２００５−５１８８３４号公報
【発明の開示】
【発明が解決しようとする課題】
【０００７】
そこで本発明は、従来の回転軸にストッパーが形成されていない切削具であっても外科用テンプレートを用いた治療が可能となる切削具用ストッパーを提供することを課題とする
【課題を解決するための手段】
【０００８】
本発明者等は前述の課題を解決すべく鋭意検討を重ねた結果、切削具とは別体としてストッパーだけを供給することにより、従来の回転軸にストッパーが形成されていない切削具であっても外科用テンプレートを用いた治療が可能とし、更に外科用の切削具が使用前に必ず加熱滅菌されることに着目し、加熱滅菌に用いる温度で形状回復する形状記憶材料を切削具用ストッパーに利用すると、加熱滅菌後には切削具の回転軸に強固に切削具用ストッパーを固定することができることを見出して本発明を完成した
【０００９】
即ち本発明は、回転軸を有する切削具の該回転軸に嵌着され使用されるストッパーであって、樹脂材料から成り渦巻状の係止材と、形状記憶材料から成り前記係止材の内部にあってその形状回復力で係止材を変形させることが可能な締付け材とから構成されている切削具用ストッパーである。
【発明の効果】
【００１０】
本発明に係る切削具用ストッパーは、従来の回転軸にストッパーが形成されていない切削具であっても外科用テンプレートを用いた治療が可能とし、更に、切削用ドリルや根管切削具の使用時においても容易に位置がずれてしまうことのない優れた切削具用ストッパーである。
【発明を実施するための最良の形態】
【００１１】
以下、図面により本発明に係る切削具用ストッパーついて説明する。
図１は本発明に係る切削具用ストッパーの１実施例の加熱前の状態を示す斜視説明図。図２は切削具用ストッパーを取り付ける切削具の一例を示す斜視説明図。
【００１２】
図面中１は本発明に係る切削具用ストッパーであり、例えば図２に例示したような、切削具２の回転軸２ａに嵌着され使用される。切削具２は回転軸を有する所謂ドリルの形状をなすものであれば特に制限無く使用することが可能であり、回転軸に切歯があってもなくても構わない。
【００１３】
本発明に係る切削具用ストッパー１は、樹脂材料から成る渦巻状の係止材と、形状記憶材料から成る前記係止材の内部にあってその形状回復力で係止材を変形させることが可能な締付け材とから構成されている。
【００１４】
係止材１ａはプラスチックやゴムの柔軟性のある樹脂材料から成り、切削具２の回転軸２ａを取り囲むように使用される。係止材１ａの形状は他からの影響がない状態では渦巻状であり、内部に有する後述する締付け材１ｂによって係止材１ａ自身の形状が変化さられる。係止材１ａは図１に示すように装着される回転軸２ａ方向に厚みを持つ板状であるとより確実に回転軸に嵌着されるので好ましい。
【００１５】
係止材１ａは後述する形状記憶能を有する締付け材２によって回転軸２ａに嵌着される。本発明に係る切削具用ストッパー１は、加熱滅菌の温度（約１３０℃）の熱を利用して形状記憶能を有する締付け材１ｂが回転軸を締付けるように復元させるため、係止材１ａの材質も耐熱性の高い樹脂、例えばポリプロピレン，ポリカーボネート，ポリアリレート，ポリスルホン，ポリフェニレンスルフィド，ポリエーテルエーテルケトン，ポリイミド樹脂，フッ素樹脂等であることが好ましく、特にポリアミドイミド，ポリエーテルエーテルケトンは２５０℃以上の耐熱性があるので好ましい。
【００１６】
締め付材１ｂは、形状記憶材料から成り、例えば図１に示すように該係止材１ａの内部に１本が配置されていたり、必要により複数本が配置されていても良い。
【００１７】
締付け材１ｂは、その形状回復力で係止材１ａを変形させる。締付け材１ｂは、渦巻状の係止材１ａを回転軸２ａに対して隙間無く密着して収縮するよう記憶を与えておき、滅菌時の加熱によってその形状を復元することで係止材１を介して切削具用ストッパー１を回転軸２ａに嵌着させる。即ち、図１に例示した切削具用ストッパーであれば、締付け材１ｂには加熱後に切削具用ストッパー１が回転軸２ａよりも小さな穴を中心に有する略円筒状に変形するように記憶を与えておくのである。締付け材１ｂも係止材１ａと同様に加熱に耐える必要があるため形状復元温度が５０〜１００℃程度の形状記憶合金であることが好ましい。
【００１８】
本発明に係る切削具用ストッパーの使用方法は、先ず渦巻状の切削具用ストッパー１を切削具２の回転軸２ａの所定場所に装着し易くするために、渦巻を開いて常温で該回転軸２ａに巻きつけることが可能な形状に変形させておく。切削具の切削深さを定めた後、術者により回転軸２ａに切削具用ストッパーを巻きつける。このとき、ペンチや専用工具で渦巻きの中心部を例えば左右から押し付けて変形させ仮止めする。切削具の使用前に通法に従いオートクレイブや乾燥オーブン等の加熱滅菌器にて８０〜１５０℃程度の温度で滅菌処理を行う。滅菌処理後には切削具用ストッパー１は形状記憶材１ｂの復元力によって確実に回転軸２ａに嵌着しているので使用時に容易に位置がずれてしまうことがない。切削具の使用後に切削具用ストッパーはペンチや専用工具で再び渦巻を開いて変形させることで回転軸から外され、洗浄後に次回の使用時まで保管される。
【００１９】
本発明に係る切削具用ストッパーは、インプラント用の切削ドリルの他にも、例えば歯科用根管切削具のような従来から深さを制限するために使用されているストッパーに使用することもできる。
【図面の簡単な説明】
【００２０】
【図１】本発明に係る切削具用ストッパーの１実施例の加熱前の状態を示す斜視説明図。
【図２】切削具用ストッパーを取り付ける切削具の一例を示す斜視説明図。
【符号の説明】
【００２１】
１  切削具用ストッパー
１ａ  係止材
１ｂ  締め付材
２  切削具
２ａ  回転軸
【図１】
2009028192.tif 000003
【図２】
2009028192.tif 000004